(57)【要約】      （修正有）【課題】電子装置が潰されて壊れることを防止し、且つ塵や水気などの浸入を防止する電子装置用保護ケースを実現する。【解決手段】第一ケース１と第二ケース２とを有する。第一ケース１は、一つの底蓋１１と、この底蓋に離間対向して間隔をおいて設けられた上蓋１２とを含み、底蓋と上蓋とはその内部にそれぞれに電子装置挿通用の収納溝１１１，１２１を備え、底蓋と上蓋との間には、一つの伸縮部１３と、この伸縮部に対応する間隔空間１４とを有する。第二ケース２は、電子装置が挿入される挿通溝２３を有し、第一ケース１の間隔空間１４に設けられる。電子装置は、第二ケース２の挿通溝２３と袋体２２内に収容される。第二ケース２は、袋体２２を底蓋１１の収納溝１１１に嵌合され、間隔空間１４に収まる。上蓋１２の収納溝１２１がプラグ部を覆う。【選択図】図１
0003140421.tif 000002
【実用新案登録請求の範囲】
【請求項１】
電子装置の外表面を覆う電子装置の保護ケースにおいて、
第一ケース（１）と第二ケース（２）とを含み、
前記第一ケース（１）は、一つの底蓋（１１）と、この底蓋に離間対向して間隔をおいて設けられた上蓋（１２）とを含み、上記底蓋と上蓋とはその内部にそれぞれに電子装置挿通用の収納溝（１１１，１２１）を備え、上記底蓋と上蓋との間には、一つの伸縮部（１３）と、この伸縮部に対応する間隔空間（１４）とを有し、
前記第二ケース（２）は、電子装置が挿入される挿通溝（２３）を有し、上記第一ケース（１）の上記間隔空間（１４）に設けられる電子装置の保護ケース。
【請求項２】
前記第一ケースは、材質がシリコンである請求項１記載の電子装置の保護ケース。
【請求項３】
前記第一ケースは、材質がゴムである請求項１記載の電子装置の保護ケース。
【請求項４】
前記第一ケースは、その底蓋の外部に、一つの吊環（１５）を有する請求項１記載の電子装置の保護ケース。
【請求項５】
前記第二ケースは、材質がシリコンである請求項１記載の電子装置の保護ケース。
【請求項６】
前記第二ケースは、材質がゴムである請求項１記載の電子装置の保護ケース。
【請求項７】
前記第二ケースは、筒体（２１）を有し、
前記挿通溝（２３）が、前記筒体の内部に形成してある請求項１記載の電子装置の保護ケース。
【請求項８】
前記第二ケースは、袋体（２２）を有し、
前記袋体は、前記筒体（２１）の一側から延伸しており、
前記挿通溝（２３）は前記袋体の内部にまで到っており、
前記袋体は、前記底蓋（１１）の収納溝（１１１）内に嵌合される請求項７記載の電子装置の保護ケース。
【請求項９】
前記第一ケースは、その伸縮部（１３）に、複数の互いに平行な蟻溝（１３１）が形成してあり、
前記第二ケースは、前記蟻溝（１３１）に対応する位置に、上記蟻溝に合った定位凸塊（２１１）を有する請求項１記載の電子装置の保護ケース。
【請求項１０】
第一ケースは、その伸縮部に、一つの蟻溝（１３１）が形成してある請求項１記載の電子装置の保護ケース。
【考案の詳細な説明】
【技術分野】
【０００１】
本考案は保護ケースに係り、特に、ＵＳＢメモリなどの電子装置に利用する保護ケースに関する。
【背景技術】
【０００２】
技術の進歩と発展につれ、色々な電子装置例えばＵＳＢメモリ、携帯電話、ＭＰ３などはどんどん開発され、使用者は技術進歩の成果を楽しんだ上に、大幅に仕事の効率を上げる。特に、ＵＳＢメモリは大容量、データ伝送速度が速い、携帯に便利、コストが安い、使用が便利、プラグアンドプレイなどの利点があるので、データの保存や伝送などに幅広く利用される。
【０００３】
しかしながら、ＵＳＢメモリは体積が小さいため、持ち使う際に不意に紛失する恐れがある。また、このＵＳＢメモリの端子の部分は利用の際に潰されて壊れることもある。したがって、本考案で解決する課題は上記の問題点を克服することである。
【０００４】
従来の電子装置の保護ケースは、台湾の実用新案公告号第５８７８５４号に掲示されるように、主にはケースと定位構成とを含む。このケースは電子装置を収容するための収納室と、この収納室に相通する開口とを備え、この開口は電子装置の端子部分をケースの外部へ凸設するために設けられ、この定位構成の一端は電子装置に連結し、他の一端はケースの表面外に凸設し、定位構成を押して移動されることによって、電子装置の端子部分をケースに対して伸ばし出したり嵌め込んだりすることができる。
【特許文献１】台湾の実用新案公告号第５８７８５４号公報
【考案の開示】
【考案が解決しようとする課題】
【０００５】
しかしながら、従来の電子装置の保護ケースは電子装置の端子部分に対して保護作用があるが、以下の問題点が依然としてある。
【０００６】
その定位構成は電子装置の一側に連結し、それぞれのメーカーの電子装置の外観造形が異なっていて、各種の造形に基づいて金具を作れば、製造のコストが高くなる。また、ケースに開口や多数の蟻溝を設ければ、塵や、異物、水気などの浸入の恐れがあり、電子装置の使用寿命も大幅に低減する。
【０００７】
本考案は、上記課題を解決した電子装置の保護ケースを提供することを目的とする。
【課題を解決するための手段】
【０００８】
本考案は、電子装置の外表面を覆う電子装置の保護ケースにおいて、
第一ケース（１）と第二ケース（２）とを含み、
前記第一ケース（１）は、一つの底蓋（１１）と、この底蓋に離間対向して間隔をおいて設けられた上蓋（１２）とを含み、上記底蓋と上蓋とはその内部にそれぞれに電子装置挿通用の収納溝（１１１，１２１）を備え、上記底蓋と上蓋との間には、一つの伸縮部（１３）と、この伸縮部に対応する間隔空間（１４）とを有し、
前記第二ケース（２）は、電子装置が挿入される挿通溝（２３）を有し、上記第一ケース（１）の上記間隔空間（１４）に設けられる。
【考案の効果】
【０００９】
上記の保護ケースを利用することによって、電子装置は潰されて壊れることが避けられ、しかも塵や水気などの浸入することが避けられ、大幅に電子装置の寿命を延ばすことができる。
【考案を実施するための最良の形態】
【００１０】
本考案に係る電子装置の保護ケースの詳しい説明と技術内容を、図を参照して説明する。
【００１１】
図１、図２、図３は、夫々本考案の第一実施例になる電子装置の保護ケースの立体分解図、組み立て図、組み立て断面図である。
【００１２】
電子装置の保護ケースは、第一ケース１と第二ケース２を含む。
【００１３】
第一ケース１は、シリコンまたはゴムのような材料で製作され、一つの底蓋１１と、この底蓋１１に離間対向して間隔をあけて設けられた上蓋１２とを含む。底蓋１１と上蓋１２の形状は半球形であり、内部はそれぞれに電子装置挿通用の収納溝１１１，１１２を備え、上記底蓋１１と上蓋１２との間にはそれぞれに一つの伸縮部１３と、この伸縮部１３に対応する間隔空間１４とを有する。また、第一ケース１の底蓋１１の外部には、一つの吊環１５が紐を通して接続するために設けてある。
【００１４】
第二ケース２は、シリコンまたはゴムのような材料で製作され、矩形筒体２１と、この矩形筒体２１の一側から延伸する半球形の袋体２２とを含む。矩形筒体２１と半球形袋体２２の内部に、電子装置が挿入される挿通溝２３が形成してある。矩形筒体２１は、第一ケース１における間隔空間１４の内部に収容される。矩形筒体２１の前後側は、夫々底蓋１１と上蓋１２に対応する端面と接し合う。袋体２２は底蓋１１の収納溝１１１の中に収容される。
【００１５】
図４は保護ケースにＵＳＢメモリのような電子装置３を収納するとき、即ち、組み立てるときの組み立て図であり、図５は図４において上蓋１２を伸ばされて引き出される使用状態を示す図である。電子装置３は、一側に、突き出たプラグ部３ａを有する。
【００１６】
組み立てる際には、先ず、電子装置３の一側を第二ケース２の挿通溝２３と袋体２２の中に入れ、プラグ部３ａが突き出た状態とし、次いで、図４に示すように、電子装置３が収容してある第二ケース２の袋体２２を底蓋１１の収納溝１１１内に嵌合させ、次いで、図５に示すように、手で上蓋１２を矢印の方向に引っ張って底蓋１１の側から引き離す。このとき、伸縮部１３は延伸変形の状態となる。
【００１７】
最後に、上蓋１２を動かしてその収納溝１１２を突き出ているプラグ部３ａに合うようにして、上蓋１２を引っ張っていた力を緩め、収納溝１１２をプラグ部３ａと嵌合させて、上蓋１２で電子装置３のプラグ部３ａを覆い、上蓋１２の内側端面を第二ケース２の側端面に当接させる。これによって保護ケースと電子装置３との組立てが完成する。
【００１８】
電子装置３及びそのプラグ部３ａは、保護ケースで覆われており、押圧された場合でも、電子装置３及びそのプラグ部３ａが潰されて壊れることが防止され、また、塵や、異物、水気などが浸入しなくなり、電子装置の使用寿命も大幅に延びる。
【００１９】
次に、図６と図７を参照して、本考案の第二実施例の保護ケースについて説明する。
【００２０】
図６は本考案の第二実施例の保護ケースと電子装置との組み立て図であり、図７は図６の組み立て断面図である。
【００２１】
保護ケースは、第一ケース１と第二ケース２を含む。
【００２２】
第一ケース１の伸縮部１３に、複数の長條形蟻溝１３１が間隔をおいて平行に形成してある。これによって伸縮部１３の伸長変形量が増加する。
【００２３】
また、第二ケース２の背面には、上記蟻溝１３１に対応する箇所に、それぞれに上記蟻溝１３１に合った定位凸塊２１１を形成してある。定位凸塊２１１が蟻溝１３１に嵌合し、第一ケース１と第二ケース２との密接効果は向上している。
【００２４】
次に、図８と図９を参照して、本考案の第三実施例の保護ケースについて説明する。
【００２５】
図８は本考案の第三実施例の保護ケースと電子装置との組み立て図であり、図９は図８の組み立て断面図である。
【００２６】
保護ケースは、第一ケース１と第二ケース２を含む。第二ケース２は、第一ケース１とは異なる色で製作してある。また、第一ケース１の伸縮部１３には、星型蟻溝１３１が形成してある。星型蟻溝１３１は、前記の第二実施例と同じく、伸縮部１３の伸長変形量を増加する。また、星型蟻溝１３１が存在することによって、第一ケース１の伸縮部１３の美観性と多様性を表現することができる。
【００２７】
次に、図１０を参照して、本考案の第四実施例の保護ケースについて説明する。
【００２８】
図１０は、本考案の第四実施例の保護ケースを分解して、電子装置と併せて示す。
【００２９】
電子装置３はケースを備えている。第二ケース２は、矩形筒体２１であり、その真ん中に電子装置３の穿設するための挿通溝２３が形成してある。
【００３０】
この構成の保護ケースの場合には、電子装置３を第二ケース２の挿通溝２３に挿入し、電子装置３の両端をそれぞれに第二ケース２の外部へ突き出させ、電子装置３の突き出ている両端がそれぞれに第一ケース１の各収容溝１１１、１２１に挿入される。この実施例では、保護ケースと電子装置３とを快速に組み立てることができる。
【００３１】
上記の実施例は、本考案において好ましい実施例の具体的な態様を、図面を用いて説明した。しかしながら、本考案は上記実施例に限定されるものではなく、本考案の要旨を逸脱しない範囲において種々の変形例が考えられることは言うまでもない。
【図面の簡単な説明】
【００３２】
【図１】本考案の第一実施例になる電子装置の保護ケースの立体分解図である。
【図２】本考案の第一実施例の保護ケースの組み立て図である。
【図３】本考案の第一実施例の保護ケースの組み立て断面図である。
【図４】本考案の第一実施例の保護ケース内に電子装置が収納された状態の組み立て図である。
【図５】図４において上蓋を伸ばされて引き出される使用状態図である。
【図６】本考案の第二実施例の保護ケース及び電子装置の組み立て図である。
【図７】図６の組み立て断面図である。
【図８】本考案の第三実施例の保護ケース及び電子装置の組み立て図である。
【図９】図８の組み立て断面図である。
【図１０】本考案の第四実施例の保護ケース及び電子装置の立体分解図である。
【符号の説明】
【００３３】
１  第一ケース
１１  底蓋
１１１，１２１  収納溝
１２  上蓋
１３  伸縮部
１４  間隔空間
１５  吊環
２  第二ケース
２１  筒体
２２  袋体
２３  挿通溝
【図１】
0003140421.tif 000003
【図２】
0003140421.tif 000004
【図３】
0003140421.tif 000005
【図４】
0003140421.tif 000006
【図５】
0003140421.tif 000007
【図６】
0003140421.tif 000008
【図７】
0003140421.tif 000009
【図８】
0003140421.tif 000010
【図９】
0003140421.tif 000011
【図１０】
0003140421.tif 000012